(57)【特許請求の範囲】
【請求項１】
外筒体にキーガイドを介して後退かつ回転可能に支持されたキーと、外筒体に案内手段を介して非回転の状態で後退動可能に係合しかつ該外筒体の先端開口から突出する筒状又は棒状のいずれかである連結体と、キーを常に突出方向へ付勢するキー用復帰バネと、連結体を常に突出方向へ付勢する連結体用復帰バネとを備え、さらに、前記キーの後端部側にキー回転止用の係合部を設け、鍵穴に前記キーを挿入する際、外筒体を持ってキーの差込み部分を前記鍵穴に交差状態に圧接すると、該キーは前記キーガイドを介して回転して前記差込み部分が錠前の鍵穴と一致し、その後、前記連結体が錠前の鍵穴の周囲の少なくとも一部に押付けられながら所定位置まで後退すると共に前記差込み部分が前記鍵穴に完全に入り込んだ際に、該連結体の係合後端部がキーの係合部に係合して外筒体と連結体とキーがそれぞれ一体的に結合する携帯型の錠前用キー挿入補助具。
【請求項２】
請求項１に於いて、連結体の係合後端部には、少なくとも１以上の係合歯或いは被係合歯が形成され、一方、キー回転止用の係合部には、前記係合歯或いは被係合歯に嵌脱する被係合歯或いは係合歯が形成されていることを特徴とする携帯型の錠前用キー挿入補助具。
【請求項３】
請求項１又は請求項２に於いて、キー回転止用の係合部は、キーを構成するシャフトに半径外方向に鍔状に設けられ、該係合部の外周面には歯車状の係合歯が形成されていることを特徴とする携帯型の錠前用キー挿入補助具。
【発明の詳細な説明】
【技術分野】
【０００１】
本発明は、携帯型の錠前用キー挿入補助具に関する。
【背景技術】
【０００２】
特許文献１には、「バリヤーフリーの観点から、キーを指で押し込むことにより、錠前を容易に解錠することができることを目的」として、「円柱状カムの外面にカム係合部及び先端面にブレード部分を有するキー本体と、前記カムに外嵌合すると共に、前記カム係合部に係合するカーブ状制御案内部を有する収納ケースとから成る錠前用キー」が開示されている。
【０００３】
この錠前用キーは、本発明と同様に携帯型であって、錠前を容易に施・解錠することを目的とするものであるが、本発明の所期の目的は、錠前の鍵穴の形状や水平方向かそれとも垂直方向かの如何を問わず、仮に鍵穴の角度とキーの挿入角度が不一致の場合であっても、錠前の鍵穴の周囲に錠前用キー挿入補助具の先端部を押しつけながらキーの差込み部分を鍵穴へと自動的に誘導し、かつ錠前の施・解錠を容易に行うことができることから、発明の課題・構成が相違する。
【０００４】
また、特許文献２には、外筒体と、該外筒体に後退動可能に嵌合する内筒体を含む鍵収納ケースが記載され、図１には、本発明と同様に外筒体を持ちながら内筒体の先端面を錠前の鍵穴の周囲に押し付ける事項が記載されている。
【０００５】
しかしながら、該特許文献２の発明の目的は、錠前を改造することなく、低コストで鍵使用の検知手段を設けることであり、特許文献１と同様に発明の課題・構成が相違する。
【先行技術文献】
【特許文献】
【０００６】
【特許文献１】特開２００７−１６２２３０号公報
【特許文献２】特開２００１−２０７７０１号公報の図１
【発明の概要】
【発明が解決しようとする課題】
【０００７】
本発明の第１の目的は、錠前の鍵穴の形状や水平方向かそれとも垂直方向かの如何を問わず、仮に鍵穴の角度とキーの挿入角度が不一致の場合であっても、錠前の鍵穴の周囲に錠前用キー挿入補助具の先端部を押しつけながらキーの差込み部分を鍵穴へと自動的に誘導して挿入することである。第２の目的は、鍵穴の角度とキーの挿入角度が不一致の場合に、その角度差如何を問わず、外筒体と連結体（例えば内筒体、棒状体）とキーがそれぞれ一体的に結合させて錠前の施・解錠操作を実現することである。第３の目的は、錠前の施・解錠操作時、連結体がキーを確実に捕捉することである。第４の目的は、キー本体の回転角度の範囲を広げ、例えばキーの差込み部分が、その両側縁部に複数の刻み溝を有しない平坦状のブランキーであるものにも適用できることである。
【課題を解決するための手段】
【０００８】
本発明の携帯型の錠前用キー挿入補助具は、筒体にキーガイドを介して後退かつ回転可能に支持されたキーと、外筒体に案内手段を介して非回転の状態で後退動可能に係合しかつ該外筒体の先端開口から突出する筒状又は棒状のいずれかである連結体と、キーを常に突出方向へ付勢するキー用復帰バネと、連結体を常に突出方向へ付勢する連結体用復帰バネとを備え、さらに、前記キーの後端部側にキー回転止用の係合部を設け、鍵穴に前記キーを挿入する際、外筒体を持ってキーの差込み部分を前記鍵穴に交差状態に圧接すると、該キーは前記キーガイドを介して回転して前記差込み部分が錠前の鍵穴と一致し、その後、前記連結体が錠前の鍵穴の周囲の少なくとも一部に押付けられながら所定位置まで後退すると共に前記差込み部分が前記鍵穴に完全に入り込んだ際に、該連結体の係合後端部がキーの係合部に係合して外筒体と連結体とキーがそれぞれ一体的に結合することを特徴とする。
【発明の効果】
【０００９】
（ａ）キー１１を鍵穴ａに正確に合わせなくても、外筒体を持って押し付けるだけで、キー１１が自動的に鍵穴ａに誘導されるので、挿入が楽である。また、外筒体を錠前に押し付けた状態で錠前の施・解錠操作をすることができる。付言すると、キー１１の角度と鍵穴ａの角度が完全一致する場合のみならず、両者の角度が一致しない場合においても、連結体（例えば内筒体、棒状体）２１の先端面を錠前Ｘの鍵穴ａの周囲ｂに当てながら外筒体１を押し付けると、前記周囲ｂに圧接するキー１１は回転しながら、最終的には、その差込み部分が鍵穴ａに誘導挿入され、それと同時或いは追動して連結体２１が後退動して、その後端部がキー１１の係合部を捕捉し、各構成部材１、１１、２１が一体的に結合することから、簡単な手順操作で錠前を施・解錠することができる。
（ｂ）請求項２に記載の発明は、連結体の一例としての内筒体２１の後端部に、少なくとも１以上の係合歯或いは被係合歯が形成され、一方、キー回転止用の係合部には、前記係合歯或いは被係合歯に嵌脱する被係合歯或いは係合歯が形成されているので、外筒体はキー回転止用の係合部５１を介して内筒体２１と一体的に成る。なお、連結体が棒状体又はこれに類似する類の場合には、その後端部に形成された１つ以上の係合歯或いは被係合歯がキー回転止用の係合部５１に嵌合或いは係合する。
（ｃ）請求項３に記載の発明は、キー回転止用の係合部５１は、キー１１を構成するシャフト１６に外嵌合し、例えば鍔状の該係合部５１の外周面に歯車状の係合歯５１ａが形成されているので、キー１１と内筒体２１は強固に結合する。
【図面の簡単な説明】
【００１０】
図１乃至図１５は本発明の最良の実施例（第１の実施形態）を示す各説明図。図１６及び図１７は本発明の最良の実施例（第２の実施形態）を示す各説明図。
【図１】本発明の全体の環境状態を示す概略説明図（概念図）。
【図２】初期状態（連結体の先端面を錠前の鍵穴の周囲に押付ける前）の概略説明図（概念図）。
【図３】図２の３−３線端面図。
【図４】図２の４−４線端面図。
【図５】要部（キー回転止用の係合部等）を示す説明図。
【図６】外筒体を縦断面で示した概略説明図。
【図７】復帰バネを除いて外筒体を縦断面で示した斜視図。
【図８】要部（内筒体が非回転状態で移動可能）の説明図。
【図９】実施化（設計図）レベルの分解説明図。
【図１０】外筒体を持って内筒体の先端面を錠前の鍵穴の周囲に押付けた第１段階の説明図。
【図１１】キーが回転可能である旨の説明図。
【図１２】キーが外筒体のキーガイドに案内（回転しながら後退）される説明図。
【図１３】内筒体の後端部がキーの係合部に嵌合する説明図。
【図１４】キーの差込み部分が錠前の鍵穴に完全に入り込んだ説明図。
【図１５】内筒体、キー、外筒体が一体的に回転可能である旨の説明図。
【図１６】第２の実施形態の通常時の説明図（連結体が棒状体である一例）。
【図１７】棒状の連結体が非回転状態で後退動してキーの係合部に嵌合或いは係合した状態の説明図。
【発明を実施するための最良の形態】
【００１１】
以下、図１乃至図１５に示す本発明を実施するための最良の形態により説明する。
【００１２】
（１）発明の実施の環境
図１は発明の実施の環境を示す概略説明図である。また、図２は連結体（例えば内筒体）の先端面を錠前の鍵穴の周囲に押付ける前の概略説明図である。
図１及び図２に於いて、Ｘは錠前、ａは錠前の鍵穴、ｂは鍵穴の周囲（前面）、Ｙは扉、そして、Ｚは、本発明の携帯型の錠前用キー挿入補助具（以下、「キー挿入補助具」という。）である。
【００１３】
このキー挿入補助具Ｚは、図１及び図２の概念図で発明の技術的思想を示すように、後端部にキーガイド７を有する外筒体１と、この外筒体１に前記キーガイド７を介して後退かつ回転可能に支持されたキー１１と、前記外筒体１に案内手段３、２３を介して非回転の状態で後退動可能に嵌合し、かつ該外筒体１の開口端（先端開口）４から突出すると共に、前記キーの一部又は全部を覆う連結体の一例としての内筒体２１と、前記キーガイド７に設けられ、かつ前記キー１１を常に突出方向へ付勢するキー用復帰バネ３１と、前記外筒体１の内部空間２に設けられ、かつ前記連結体２１を常に突出方向へ付勢する連結体用復帰バネ４１を備え、さらに、前記キー１１の後端部寄りの部位にキー回転止用の係合部５１を設け、前記連結体２１が錠前Ｘの鍵穴ａの周囲ｂに押付けられながら所定位置まで後退した時に、該連結体２１の後端部が前記係合部５１に嵌合して外筒体１とキー１１と連結体２１がそれぞれ一体的に結合する。以下、本発明の特定要件について順次説明するが、細部的な事項は極力その説明を割愛する。
【００１４】
（２）錠前Ｘの鍵穴ａ
錠前Ｘの鍵穴ａは、水平方向又は垂直方向のいずれであっても良い。また鍵穴ａの形状は、例えばブレード部分と称される差込み部分の両側縁部分に刻み状の鍵溝を有するもの、又はブランキーと称される平坦面に幾何学的溝、逆円錐台状窪み等を有するものがそれぞれ挿入可能なものであれば良い。図７、図１１等で示すように、本実施形態のキーはブランキーと称されるものなので、錠前Ｘの鍵穴ａは、例えば単純な水平方向の穴である。
【００１５】
（３）キー挿入補助具Ｚの外筒体１
図３は図２の３−３線端面図である。図３で示すように、キー挿入補助具Ｚは、連結体の一例としての内筒体２１と、該内筒体に外嵌合する外筒体１とを備えている。そして、ハッチングで示したキー１１は、内筒体２１の内部空間２２の略中央部に位置している。内筒体２１と外筒体１は共に円筒状に形成され、本実施形態では、案内手段の一方を構成する複数個の係合突起２３、２３はパイプ状内筒体２１の外周壁の左右に一対設けられ、一方、案内手段の他方を構成する係合溝３、３は、外筒体１の内周壁の左右部位に長さ方向に沿って一対形成されている。内筒体２１の前記係合突起２３、２３は外筒体１の前記係合溝３、３に係合しているから、内筒体２１は外筒体１に案内手段２３、３を介して非回転の状態でかつ後退動可能に嵌合していることに成る。
【００１６】
ここで、図２を参照にして外筒体１の構成を簡単に説明すると、２は外筒体１の内部空間で、この内部空間２は、開口端４を形成する環状のストッパ部分５と短筒状のキーガイド７の先端内面の間の領域である。したがって、この内部空間２内に前述した係合溝３、３が筋条（直線状）に形成されている。
【００１７】
（４）キーガイド７
図４は図２の４−４線端面図である。図４で示すように、短筒状のキーガイド７は、キー挿入補助具Ｚの中央部に相当する中央穴１２に単数又は複数（本実施形態）の螺旋状案内溝８、８を有し、これらの螺旋状案内溝８、８には、キー１１の後端部外周壁に突設した単数又は複数（本実施形態）の小突起１３、１３が係合している。
【００１８】
したがって、長尺状のキー１１は、外筒体１に前記キーガイド７を介して後退かつ回転可能に支持されている。本実施形態では、外筒体１と、該外筒体の後端部内に設けられたキーガイド７は、例えば一体に成形されているが、実施形態如何によっては、例えば外筒体１とキーガイド７をそれぞれ硬質の合成樹脂で別個に成形し、両端開口の長筒状外筒体内の後端部に短筒状キーガイド７を固定的に組み込み、適宜、長筒状外筒体の後端開口を蓋体で閉じても良い（実質的同一）。また、単数又は複数の螺旋状案内溝８を長尺状のキー１１の後端部外周壁に形成し、これに係合する単数又は複数の小突起１３をキーガイド７の中央穴１２を形成する内周壁に設けても良い（実質的同一）。
【００１９】
（５）連結体２１
連結体の一例としての内筒体２１は、図２で示すように、初期状態では、連結体用復帰バネ４１のバネ力により外筒体１の先端開口４から突出すると共に、キー１の後端部寄りの部位に固定的に設けられた係合部５１及び小突起１３、１３を有する後端部を除き、キー１の差込み部分を覆う。付言すると、内筒体２１は、初期状態の時、外筒体１の先端開口４から外れないように、例えば後端部側の外周壁にフランジ状の当接部分２４を有し、該当接部分２４は外筒体１のストッパ部分５に圧接している。
【００２０】
また、内筒体２１は、初期状態の時はキー１を捕捉していないものの、後述するように、内筒体が錠前Ｘの鍵穴ａの周囲ｂに押付けられながらかつ連結体用復帰バネ４１のバネ力に抗して所定位置まで後退した時に、その後端部がキー１の係合部５１に嵌合状態に係合（捕捉）する。
【００２１】
その結果、外筒体１とキー１１と内筒体２１がそれぞれ一体的に結合する。なお、内筒体２１は、本実施形態ではキー１１の差込み部分を略全体的に覆っているが、これは発明の本質的事項ではなく、キー１１の差込み部分が内筒体２１の先端面から突出していても良い。
【００２２】
（６）係合部５１、連結体用復帰バネ４１
図５はキー回転止用の係合部５１、連結体用復帰バネ４１等の要部を示す説明図である。この図に於いて、４１は連結体用復帰バネで、この連結体用復帰バネ４１は内筒体２１の後端部内面２１ａとキーガイド７の先端部内面７ｂとの間に嵌挿されている。
そして、本実施形態では、例えばキー１１の中央部或いは後端部寄りの部位にキー回転止用の係合部５１が固定的に外嵌合し、該係合部５１は楕円或いは環状の形態であり、その外周に単数又は複数の係合歯５１ａが形成されている。なお、係合部５１は、その中心部に非真円或いは角形状の嵌合孔を有している。
【００２３】
ところで、前記係合部５１は、本実施形態では、キー１１の後端部寄りの部位に鍔状に設けられ、該鍔状係合部５１には、少なくとも１以上の被係合歯或いは係合歯５１ａが形成されている。
【００２４】
付言すると、内筒体２１の後端部の内周壁には、少なくとも１以上の係合歯或いは被係合歯が形成され、一方、キー回転止用の係合部５１の外周面には、前記係合歯或いは被係合歯に嵌脱する被係合歯或いは係合歯５１ａが形成されている。もちろん、鍔状係合部５１及び係合歯５１ａの各形状は、係合部５１とキー１１が一体的に係脱可能であれば、任意に設計変更することができる事項である。
【００２５】
また、特に図示しないが、筒状連結体２１の係合後端部２２とキー回転止用の係合部５１との係脱構造は、公知・周知のクラッチ機構（円盤体の対向面同士の凹凸、ゴム板に対する摩擦係合など）であっても良い。
【００２６】
（７）キー用復帰バネ３１
キー用復帰バネ３１は、例えば図６で示すように、キーガイド７の中央孔１２を形成する外筒体１の後壁（実施形態によっては蓋体）の内面とキー１１の後端面の間に介在し、キー１１を常に突出する方向に付勢している。このキー用復帰バネ３１の付勢力は、前方に位置している連結体用復帰バネ４１のそれよりも強く設定されている。キー用復帰バネ３１並びに連結体用復帰バネ４１の線径、巻き数、強さ等は、キー１１の回転後退、内筒体２１の後退動等を考慮して適宜に設定される事項である。
【００２７】
（８）キー１１、外筒体１等の実施化レベルの詳細
ここで、図９を参照にして、キー１１、外筒体１等の実施化レベルの構成を説明する。まず１５は、キー１１を構成するシャフトで、このシャフト１５の角軸部に歯車状の係合部５１が固定的に外嵌合している。１６は差込み部分を有するキー本体で、このキー本体１６の後端部は、キー押え部材としてのやや肉厚状固定平板１７及び複数個の固着具１８を介して前記シャフト１５の先端部側に固定されている。シャフト１５の後端部には、複数の小突起（係合部）１３が設けられ、これらの小突起１３は、前述したように、キーガイド７の中央孔１２の内周壁に形成した２本の螺旋状案内溝８、８にそれぞれ係合している。
【００２８】
したがって、キー１１は、キー用の案内手段（小突起１３、螺旋状案内溝８）を介して軸方向へ後退する際は回転しながら後退する。図１１はキー１１が回転可能である旨の説明図である。
【００２９】
次に、実施形態の外筒体１は、組立容易性の課題を考慮して、その中心部から長さ方向に二分割され、例えば竹を割ったような形態をしている。このように二分割された分割外筒片１ａ、１ｂは、後端部等に不番の固着具用を有し、複数個の固着具６を用いて合体する。
【００３０】
（９）手順・作用
図１、図２等で示すように、初期位置（携帯時の通常位置）では、内筒体２１は自己の復帰バネ４１のバネ力により、外筒体１の先端開口４から突出している。また、キー（キー本体１６）１１も自己の復帰バネ３１のバネ力により、外筒体１の先端開口４から突出しているものの、実施形態のものは略（おおよそ）全体が内筒体２１に覆われ、内筒体２１の先端面とキー（キー本体１６）１１の差込み部分の先端面は、略同一位置である。
【００３１】
図１０は、外筒体１を持って内筒体２１の先端面を錠前Ｘの鍵穴ａの周囲ｂに押付けた第１段階の説明図である。そこで、外筒体１を持って矢印Ａ方向へ押し付ける。この場合、当然のことながら、錠前Ｘの鍵穴ａとキー１１の差込み部分の先端面が一致している場合には、内筒体２１の後退動に対応してキー１１の差込み部分がそのまま鍵穴ａに入り込む（キー非回転）。
【００３２】
しかし、ここでは、発明の所期の目的との関係上、該態様の詳細説明を省略する。ここで問題にするのは、キー１１の差込み部分の先端面が鍵穴ａに対して不一致の場合であり、例えば差込み部分の先端面が水平或いは垂直方向の鍵穴ａに対して、４５度、５０度、９０度という具体に大きく交差している場合である。
【００３３】
上記のような場合には、外筒体１を矢印Ａ方向へ押し付けると、内筒体２１と同時にキー１１の差込み部分の先端面が鍵穴ａ縁部分に圧接（同時圧接）するので、図１０、図１２で示すように、キー１１は外筒体１のキーガイド７に案内され、矢印Ｃ方向に回転しながら矢印Ｂ方向に後退動する。この時、内筒体２１も同時に後退動する。このように、キー挿入補助具Ｚを持って錠前の前面に押し付けると、キー１１の差込み部分は鍵穴と一致するように自動的に誘導される。
【００３４】
なお、連結体の突出量が短い実施形態によっては、キー１１の先端面が鍵穴ａ縁部分に圧接した後に連結体２１の先端面が鍵穴ａの周囲に圧接する（異時圧接）。
図１３は内筒体２１の後端部がキー１１の係合部５１に外嵌合する説明図である（第２段階）。この第２段階では、図１４で示すように、キー１１の差込み部分の先端面が鍵穴ａ縁部分に圧接しながら回転し、キー１１の角度と鍵穴ａの角度が完全一致する状態となり、キー１１の差込み部分が鍵穴ａに入り込む。
【００３５】
キー１１の角度と鍵穴ａの角度が完全一致した場合には、外筒体１をそのまま持って、さらに矢印Ａ方向へ押し付けると、キー１１の差込み部分は鍵穴ａに挿入され、それと同時に内筒体２１は案内手段３、２３に非回転状態で案内されながら、かつ自己の復帰バネ４１のバネ力に抗して所定位置まで後退する。その結果、被係合歯を有する係合後端部がキー１１の係合部５１の係合歯５１ａに係合（実施例では外嵌合）する。
【００３６】
図１５は内筒体２１、キー１１、外筒体１が一体的に回転可能である旨の説明図である。嵌合時、内筒体２１とキー１１は係合部・被係合部としての凹凸が互いに噛み合い、また内筒体２１と外筒体１は案内手段（筋状係合溝３、係合突起２３）を介して一体的に係合しているので、外筒体１を持って施・解錠方向へ操作することができる。
【実施例】
【００３７】
発明の実施の形態で示した実施例に於いて、連結体２１は筒状体である旨を説示したが、その形状は筒状体（内筒体）に限定する必要はない。連結体２１は非回転状態で後退動し、かつキー１１の係合部５１に係合すれば十分（外筒体に対してスイッチ的機能、或いは捕捉係合機能）であるから、その形態は発明の目的を逸脱しない範囲で任意に設計変更することができる。
【００３８】
そこで、図１６及び図１７は本発明の最良の実施例（第２の実施形態）を示す各説明図である。この図から明らかなように、連結体２１Ａは、その全部或いは一部が棒状体であり、外筒体１から一部突出しかつ指先を折り曲げたような格好の先端部２１ｂが、前述した錠前Ｘの鍵穴ａの鍵穴の周囲（一部も含む）ｂに圧接する部分である。
【００３９】
この連結体２１Ａは、いわば第１実施形態の筒状体の先端部側を一部切欠したものであるが、このように構成しても、本発明の所期の目的を達成することができる。
【００４０】
なお、本実施形態に於いて、連結体用復帰バネ４１は外筒体１の内部空間２に全て内装されているが、必ずしも内部空間２に全て内装する必要はなく、例えばその後端部を内部空間２に位置させ、一方、先端部側を連結体（内筒体）２１に内装させた状態で支持しても良い。
【産業上の利用可能性】
【００４１】
本発明は、主に錠前や建具の業界で利用される。
【符号の説明】
【００４２】
Ｘ…錠前、ａ…鍵穴、ｂ…鍵穴の周囲、Ｙ…扉、Ｚ…錠前用キー挿入補助具、1…外筒体、２…内部空間、３…案内手段（係合溝）、４…先端開口、５…ストッパ部分、７…キーガイド、８…キー用の案内手段（螺旋状案内溝）、１１…キー、１２…中央穴、１３…小突起、１５…シャフト、１６…キー本体、２１…連結体（内筒体）、２２…内部空間、２３…案内手段（係合突起）、２４…当接部分、３１…キー用復帰バネ、４１…連結体用復帰バネ、５１…キー回転止用の係合部、５１ａ…係合歯。
【図１】
0005740176.tif 000002
【図２】
0005740176.tif 000003
【図３】
0005740176.tif 000004
【図４】
0005740176.tif 000005
【図５】
0005740176.tif 000006
【図６】
0005740176.tif 000007
【図７】
0005740176.tif 000008
【図８】
0005740176.tif 000009
【図９】
0005740176.tif 000010
【図１０】
0005740176.tif 000011
【図１１】
0005740176.tif 000012
【図１２】
0005740176.tif 000013
【図１３】
0005740176.tif 000014
【図１４】
0005740176.tif 000015
【図１５】
0005740176.tif 000016
【図１６】
0005740176.tif 000017
【図１７】
0005740176.tif 000018